(57)【要約】【課題】傾動（チルト）可能な歯科用治療椅子において、チルト動作と連動して治療椅子本体部を前後動させ、傾斜状態にかかわらず、前後方向における患者の口腔位置が変化しないようにした。【解決手段】コンターシート１３とバックレスト１２を有する治療椅子本体部１０と、該本体部１０を前後動可能に搭載支持した基台部２０とから成り、本体部１０はコンターシートとバックレストの関節部に回転軸Ｑを有し、該回転軸Ｑを回転させて本体部１０を傾動させるようになっている。回転軸Ｑに歯車２を、基台部２０には該歯車２と噛合するラック３を有し、回転軸Ｑが回転されて本体部１０が傾動される時に（（図３（Ａ）の状態から図３（Ｂ）の状態になる時に）、歯車２とラック歯３ａとの噛合によって本体部１０が基台上を前方又は後方に移動し、本体部１０の傾動によって患者の口腔位置Ｋ1，Ｋ2が前後方向で変わらないようにした。【選択図】図３
2005349102.tif 000002
【特許請求の範囲】
【請求項１】
コンターシートとバックレストとを有する治療椅子本体部と、該本体部を傾動（チルト）可能に搭載支持した基台部とから成る歯科用治療椅子において、傾動（チルト）時、該傾動（チルト）動作と連動して本体部を基台部上で前後動させ、被治療位置である患者の口腔位置が前後方向に変化しないようにした。
【請求項２】
前記コンターシートとバックレストの関節部に回転軸を有し、該回転軸を回転させて前記傾動動作を行わせるとともに、該回転軸の回転に応じて前記前後動動作を行わせるようにしたことを特徴とする請求項１に記載の歯科用治療椅子。
【請求項３】
コンターシートとバックレストを有する治療椅子本体部と、該本体部を前後動可能に搭載支持した基台部とから成り、前記本体部は前記コンターシートとバックレストの関節部に回転軸を有し、該回転軸を回転させて前記本体部を傾動（チルト）させるようにした歯科用治療椅子において、前記回転軸に歯車を、前記基台部には該歯車と噛合するラックを有し、前記回転軸が回転されて前記本体部が傾動（チルト）される時に、前記歯車とラックとの噛合によって前記本体部が前記基台上を前方又は後方に移動し、前記本体部の傾動によって患者の口腔位置が前後方向で変わらないようにしたことを特徴とする歯科用治療椅子。
【発明の詳細な説明】
【技術分野】
【０００１】
本発明は、歯科用治療椅子、より詳細には、コンターシートとバックレストを有し、これらバックシートとコンターシートが一体的に傾動（チルト）可能な歯科用治療椅子において、傾動（チルト）時、傾動動作の前後で、被治療位置である患者の口腔位置が前後方向に変化しないようにした歯科用治療椅子に関する。
【背景技術】
【０００２】
図４は、本発明が適用される歯科用治療椅子の一例を説明するための要部概略構成図で、該歯科用治療椅子は、周知のように、安頭台１１、バックレスト１２、コンターシート１３、レッグレスト１４、フットレスト（フットステップ）１５等から成る治療椅子本体部１０と、該本体部１０を搭載支持する基台部２０とから成り、周知のように、常時は、起状態にあり、この状態で患者は、フットレスト（フットステップ）１５の上に乗り、その後に、コンターシート１３に腰掛ける。その後、術者（ドクター）は、椅子を倒状態（寝状態）にして、更には、治療椅子本体部１０を所望の角度に傾斜（チルト）して治療を行い、或いは、起状態にするとともに上昇させて患者がうがいがしやすいようにする等、起状態、或いは、倒状態にして、更には、傾動（チルト）させて歯科治療を行う。
【０００３】
図５は、上述のごとき歯科用治療椅子、すなわち、コンターシート１３とバックレスト１２とを有する治療椅子本体部１０を、これらバックレストとコンターシート１３との関節部Ｐ（該関節部Ｐで基台部２０に対して回動可能に支持されている）で回動して傾動（チルト）して治療を行う歯科用治療椅子における傾動（チルト）前の状態（実線にて表示）と傾動（チルト）後の状態（破線にて表示）とを示す概略図で、図中、Ｋ1，Ｋ2は患者の頭部（被治療部位である口腔位置）を示す。この口腔位置は、傾動（チルト）前の状態（実線にて表示）にある時はＫ1の位置であるが、傾動（チルト）後の状態（破線にて表示）ではＫ2の位置となり、前後方向に距離Ｌだけずれる。そのため、術者（ドクター）は治療椅子のチルト動作に応じて前後方向に距離Ｌだけ移動しなければならず、特に、ドクターチェアに腰掛けて治療しているような場合、チルト操作に伴なってドクターチェアを移動しなければならず、また、それに伴なってワークテーブルも移動しなければならず、非常に面倒であった。
【発明の開示】
【発明が解決しようとする課題】
【０００４】
本発明は、上述のごとき実情に鑑みてなされたもので、傾動（チルト）可能な歯科用治療椅子において、チルト動作と連動して治療椅子本体部を前後動させ、傾斜（チルト）状態にかかわらず、前後方向における患者の口腔位置が変化しないようにして、術者の治療行為をし易くすることを目的としてなされたものである。
【課題を解決するための手段】
【０００５】
上記目的を達成するために、請求項１の発明は、コンターシートとバックレストを有する治療椅子本体部と、該本体部を傾動（チルト）可能に搭載支持した基台部とから成る歯科用治療椅子において、傾動（チルト）時、該傾動（チルト）動作と連動して前記本体部を前後動させ、被治療位置である患者の口腔位置が前後方向に変化しないようにしたことを特徴としたものである。
【０００６】
請求項２の発明は、請求項１の発明において、前記コンターシートとバックレストの関節部に回転軸を有し、該回転軸を回転させて前記傾動動作を行わせるとともに、該回転軸の回転に応じて前記前後動動作を行わせるようにしたことを特徴とするものである。
【０００７】
請求項３の発明は、コンターシートとバックレストを有する治療椅子本体部と、該本体部を前後動可能に搭載支持した基台部とから成り、前記本体部は前記コンターシートとバックレストの関節部に回転軸を有し、該回転軸を回転させて前記本体部を傾動（チルト）させるようにした歯科用治療椅子において、前記回転軸に歯車を、前記基台部には該歯車と噛合するラックを有し、前記回転軸が回転されて前記本体部が傾動（チルト）される時に、前記歯車とラックとの噛合によって前記本体部が前記基台上を前方又は後方に移動し、前記本体部の傾動によって患者の口腔位置が前後方向で変わらないようにしたことを特徴とするものである。
【発明の効果】
【０００８】
本発明によると、歯科用治療椅子のチルト動作にかかわらず、被治療位置である患者の口腔位置が前後方向に移動しないので、術者は、チルト動作の前後において、同じ位置にいて歯科治療を行うことができるので、従来技術のように、チルト動作に応じて前後に移動する煩わしさがなく、より効果的に歯科治療を行うことができる。
【発明を実施するための最良の形態】
【０００９】
図１は、本発明による歯科用治療椅子の動作例を説明するための要部概略構成図で、実線表示は起状態治療時（チルトをかける前）における患者の口腔位置Ｋ1を示し、破線表示はチルト治療時における患者の口腔位置Ｋ2を示すが、本発明においては、チルト前の状態（実線表示）からチルト後の状態（破線表示）に移行する時に、バックレスト１２とコンターシート１３の関節部に設けられている軸Ｑが回動してバックレスト１２とコンターシート１３とを有する治療椅子本体部１０をそのままの状態で回動してチルトをかけるとともに、該回転軸Ｑを前方に移動（Ｑ1の位置からＱ2の位置）させるようにしたので、患者の口腔位置Ｋ1，Ｋ2は、治療椅子の前後方向には移動することなく、Ｋ1のチルト前の位置とＫ2のチルト後の位置とが治療椅子の前後方向に関して略同じ位置になっている。
【００１０】
上述のごときバックレスト１２がコンターシート１３に対して起倒可能な歯科用治療椅子においては、通常、図２に示すような操作スイッチを有し、スイッチＳ1を押すとバックレスト１２が起状態となり、スイッチＳ2を押すと倒状態となり、スイッチＳ3を押すと治療椅子本体部１０が上方に移動し、スイッチＳ4を押すと下方に移動する。スイッチＳ5，Ｓ6は治療椅子本体部１０を傾動（チルト）させるもので、本発明においては、スイッチＳ5を押した時に、治療椅子本体部１０が回動（チルト）するとともに、該本体部１０が前方に移動して実線位置から破線位置になり、患者の頭部（口腔位置）が後方に移動しないようにしたものである。勿論、チルト状態（破線表示位置）にある時に、スイッチＳ6を押すと、チルト前の状態（実線表示位置）に戻るようになっている。
【００１１】
上述のごとき治療椅子の回動及び前後動は、モータ、油圧シリンダー、エアーシリンダー等、任意所望の動力源を用いて行うことができるが、これらの動き（回動及び前後動）は独立して又は連動して行うことができ、例えば、回動（チルトをかけた）後に、引き続いて、所定量前方に移動させるようにしてもよいし、逆に、所定量前方に移動させた後に、回動する（チルトをかける）ようにしてもよいし、或いは、回動しながら前進又は後進させるようにしてもよい。
【００１２】
図３は、バックレスト１２とコンターシート１３とが一体的に構成された歯科用治療椅子に本発明を適用した場合の一例を説明するための図で、図３（Ａ）はチルト前の状態、図３（Ｂ）はチルト後の状態を示す。図３において、１は治療椅子本体部１０側に設けられたモータ等の動力源、２は回転軸Ｑ（該回転軸Ｑは基台部２０に対して回転可能にかつ前後方向に移動可能に支持されている）に設けられた歯車、３は基台部２０側に設けられたラック杆で、治療椅子本体部１０は例えば基台部２０に設けられたレール上を前後方向に摺動移動可能なように取り付けられている。ラック杆３は、例えば、上面にラック歯３ａを有し、回転軸Ｑの回転が伝達される歯車（複数でもよい）２と噛合し、該回転軸Ｑが回転された時に、治療椅子本体部１０が前方又は後方に移動するようになっている。
【００１３】
モータ１は、例えば、図２に示したチルトスイッチＳ5又はＳ6を押すことによって正転又は逆転され、スイッチＳ5を押した時に、モータ１が回転して回転軸Ｑが回動して治療椅子本体１０にチルトがかかり、同時に、該回転軸Ｑと一体の歯車２が回動し、該歯車２と噛合しているラック３のラック歯３ａ（ラック３は基台部２０側に固定されている）の  反力を受け、バックレスト１２及びコンターシート１３を含む治療椅子本体部１０が前方に移動する（図３（Ｂ））。スイッチＳ6を押すと、スイッチＳ5を押した時とは逆に、逆方向のチルトがかかり、同時に、治療椅子本体部１０が後方に移動する（図３（Ａ））。
【００１４】
図３には、治療椅子の回動と前後動とを単一の動力源（モータ）を用いて連動させて同時に行うようにした例について説明したが、前述のように、これらの回動と前後動とを別々に周知の独立した動力源を用いて、同時に或いは時間差を設けて、駆動するようにしてもよいことは容易に理解されよう。
【図面の簡単な説明】
【００１５】
【図１】本発明の動作例を説明するための概念図である。
【図２】歯科用治療椅子の操作スイッチの例を示す図である。
【図３】本発明による歯科用治療椅子の一例を説明するための要部概略構成図である。
【図４】従来の歯科用治療椅子の一例を説明するための要部構成図である。
【図５】従来の歯科用治療椅子の一動作例を説明するための概念図である。
【符号の説明】
【００１６】
１…モータ（動力源）、２…歯車、３…ラック杆、３ａ…ラック歯、１０…歯科用治療椅子本体部、１２…バックレスト、１３…コンターシート、２０…基台部。
【図１】
2005349102.tif 000003
【図２】
2005349102.tif 000004
【図３】
2005349102.tif 000005
【図４】
2005349102.tif 000006
【図５】
2005349102.tif 000007